(57)【要約】【課題】周波数帯域の高い信号を検出可能な検出回路を用いることなく、試し書き情報を読取ったときに出力される検査信号を高精度で検出して、光記録媒体に情報を書込むときに、適切な出力で光を照射できる記録装置を提供する。【解決手段】マイコン９は、光ディスク５０を所定の試し書き回転数で回転するようにスピンドルモータ３を制御するとともに、光ディスク５０に試し書き情報を書込むように光ピックアップ５を制御し、光ディスク５０を前記試し書き回転数よりも低い検査回転数で回転するようにスピンドルモータ３を制御するとともに、光ディスク５０に書込んだ試し書き情報を読取るように光ピックアップ部５を制御し、光ピックアップ部５が試し書き情報を読取ったときに出力されて、ＲＦ検出回路１５によって検出される検査信号の変調度に基づいて、光ディスク５０に情報を書込むときに照射するレーザ光の出力を決定する。【選択図】      図１
2005032335.tif 000002
【特許請求の範囲】
【請求項１】
光記録媒体を回転する駆動手段と、光記録媒体に光を照射して情報を書込みまたは読取るピックアップ手段と、ピックアップ手段が試し書き情報を読取ったときに出力される信号を検出する検出手段と、前記駆動手段および前記ピックアップ手段を制御する制御手段とを備える記録装置であって、
前記制御手段は、光記録媒体を所定の試し書き回転数で回転するように駆動手段を制御するとともに、光記録媒体に試し書き情報を書込むようにピックアップ手段を制御し、光記録媒体を前記試し書き回転数よりも低い検査回転数で回転するように駆動手段を制御するとともに、光記録媒体に書込んだ試し書き情報を読取るようにピックアップ手段を制御し、ピックアップ手段が試し書き情報を読取ったときに出力されて、検出手段によって検出される検査信号に基づいて、光記録媒体に情報を書込むときに照射する光の出力を決定することを特徴とする記録装置。
【請求項２】
制御手段は、検査信号の振幅を前記検査信号の最大値で除算した変調度に基づいて、光記録媒体に情報を書込むときに照射する光の出力を決定することを特徴とする請求項１記載の記録装置。
【請求項３】
制御手段は、光記録媒体に試し書き情報を書込む場合には、光記録媒体に試し書き情報を除く情報を書込むときの記録回転数と同じ試し書き回転数で光記録媒体を回転するように駆動手段を制御し、光記録媒体の試し書き情報を読取る場合には、光記録媒体の試し書き情報を除く情報を読取るときの再生回転数以下の検査回転数で光記録媒体を回転するように駆動手段を制御することを特徴とする請求項１または２記載の記録装置。
【発明の詳細な説明】
【０００１】
【発明の属する技術分野】
本発明は、情報を追記可能な光記録媒体および情報を書換可能な光記録媒体に情報を書込む記録装置に関する。
【０００２】
【従来の技術】
光記録媒体である光ディスクの高密度化が進み、これにともなって光ディスクに対して記録マークを正確な長さに書込める記録装置が望まれている。また光ディスクの記録層の特性は、個々の光ディスクによって異なる。したがって光ディスクと記録装置との相性を考慮して、半導体レーザ素子などのレーザ光源を発光させるための記録波形のパワー、振幅および間隔を、最適な値に調整する必要がある。
【０００３】
記録装置は、光ディスクに情報を書込む前に、光ディスクの所定の領域に試し書きをするＯＰＣ（Ｏｐｔｉｍｕｍ  Ｐｏｗｅｒ  Ｃｏｎｔｒｏｌ  ）と呼ばれる処理を行って、情報を書込むときに照射するレーザ光の最適な出力を決定する。ＯＰＣは、光ディスクの記録領域の最も半径方向内方に設けられるＰＣＡ（Ｐｏｗｅｒ  Ｃａｌｉｂｌａｔｉｏｎ  Ａｒｅａ）と呼ばれる試し書き領域に、複数種類の出力のレーザ光で、所定の試し書き情報を書込む。その後、前記試し書き情報を読取って、ピックアップ部からの各出力に対応するＲＦ信号の変調度などを評価基準とし、その中で最も状態の良かった出力を最適な出力に決定する。このようにして決定された最適な出力のレーザ光で、光ディスクに情報を書込む。
【０００４】
前述のＯＰＣは、追記可能なコンパクトディスク（Ｃｏｍｐａｃｔ  Ｄｉｓｃ−Ｒｅｃｏｒｄａｂｌｅ  ；略称：ＣＤ−Ｒ）などの光ディスクに関する規格を定めるオレンジブック（Ｏｒａｎｇｅ  Ｂｏｏｋ  ）と呼ばれる規格書に掲載されている。
【０００５】
最適な出力を求める従来技術として、相変化型の光ディスクに情報の書込みをする光ディスク装置において、パルス光となっているレーザ光で試し書き中に、所定時間だけレーザ光を連続発光させて、試し書きした領域を読取り、その読込んだときのＲＦ信号に基づいて出力を調整する光ディスク装置がある（たとえば特許文献１参照）。
【０００６】
【特許文献１】
特開平１０−１３４３５２号公報
【０００７】
【発明が解決しようとする課題】
情報の書換可能な光ディスクである相変化記録方式の光ディスクにおいてＯＰＣを行うとき、ＲＦ信号の振幅を測定しなければならない。光ディスクへの単位時間当たりの情報の書込み容量が多くなる、換言すれば、光ディスクの回転数を高くして書込み速度が高速になると、ＲＦ信号の周波数も高くなるので、ＲＦ信号の最大値および最小値を検出するためには、高帯域のＲＦ信号を検出可能な検出回路が必要になる。しかしこのような検出回路を実現するのは一般には困難であり、たとえ実現できたとしても、コストが非常に高くなる。
【０００８】
ＲＦ信号を検出する検出回路は、たとえば音楽が記録されている光ディスクを読取り可能な記録装置の場合、光ディスクに記録されている音楽を読取って再生するのに必要な周波数帯域が検出可能であればよい。光ディスクに音楽を書込むときの記録速度が、光ディスクの音楽を再生するときの再生速度よりも高い場合、前記記録速度で試し書き情報を読取ると、試し書き情報を読取ったときにピックアップ部から出力されるＲＦ信号を高精度で検出できない。しかし試し書き情報を読取っているときにピックアップ部から出力されるＲＦ信号を高精度で検出するためだけに、高帯域のＲＦ信号を検出可能な検出回路を記録装置に搭載することは、記録装置の製造コストの上昇を招く。
【０００９】
したがって本発明の目的は、周波数帯域の高い信号を検出可能な検出回路を用いることなく、試し書き情報を読取ったときに出力される検査信号を高精度で検出して、光記録媒体に情報を書込むときに、適切な出力で光を照射できる記録装置を提供することである。
【００１０】
【課題を解決するための手段】
本発明は、光記録媒体を回転する駆動手段と、光記録媒体に光を照射して情報を書込みまたは読取るピックアップ手段と、ピックアップ手段が試し書き情報を読取ったときに出力される信号を検出する検出手段と、前記駆動手段および前記ピックアップ手段を制御する制御手段とを備える記録装置であって、
前記制御手段は、光記録媒体を所定の試し書き回転数で回転するように駆動手段を制御するとともに、光記録媒体に試し書き情報を書込むようにピックアップ手段を制御し、光記録媒体を前記試し書き回転数よりも低い検査回転数で回転するように駆動手段を制御するとともに、光記録媒体に書込んだ試し書き情報を読取るようにピックアップ手段を制御し、ピックアップ手段が試し書き情報を読取ったときに出力されて、検出手段によって検出される検査信号に基づいて、光記録媒体に情報を書込むときに照射する光の出力を決定することを特徴とする記録装置である。
【００１１】
本発明に従えば、制御手段によって、光記録媒体に試し書き情報を書込むとき、駆動手段は、光記録媒体を所定の試し書き回転数で回転するように制御され、ピックアップ手段は、試し書き回転数で回転する光記録媒体に試し書き情報を書込むように制御される。光記録媒体に書込んだ試し書き情報を読取るとき、駆動手段は、光記録媒体を前記試し書き回転数よりも低い検査回転数で回転するように制御され、ピックアップ手段は、光記録媒体に書込んだ試し書き情報を読取るように制御される。試し書き回転数よりも低い検査回転数で回転する光記録媒体の試し書き情報を読取ったときに出力される検査信号は、試し書き回転数で回転する光記録媒体の試し書き情報を読取ったときに出力される検査信号よりも周波数帯域が低くなる。したがって検出手段は、前記検査回転数で回転する光記録媒体の試し書き情報を読取ったときに出力される検査信号程度の周波数帯域の信号を検出可能な程度でよく、このような検出手段で、ピックアップ手段が試し書き情報を読取ったときに出力される検査信号を高精度に検出することができる。したがって周波数帯域の高い信号を検出可能な検出回路を用いる必要がなく、記録装置の製造コストを抑えることができる。
【００１２】
制御手段は、前記検査信号に基づいて、光記録媒体に情報を書込むときに照射する光の出力を決定する。したがって前述のように決定された出力で光記録媒体に光を照射するようにピックアップ手段を制御することによって、光記録媒体に正確に情報を書込むことができる。
【００１３】
また本発明は、制御手段は、検査信号の振幅を検査信号の最大値で除算した変調度に基づいて、光記録媒体に情報を書込むときに照射する光の出力を決定することを特徴とする。
【００１４】
本発明に従えば、光記録媒体に情報を書込むときに照射する光の出力は、検査信号の振幅を検査信号の最大値で除算した変調度に基づいて決定される。このように変調度は、検査信号の振幅および検査信号の最大値だけで求められるので、変調度を容易かつ高速に求めることができ、これによって光記録媒体に情報を書込むときに照射する光の出力を、容易かつ高速に決定することができる。
【００１５】
また本発明は、制御手段は、光記録媒体に試し書き情報を書込む場合には、光記録媒体に試し書き情報を除く情報を書込むときの記録回転数と同じ試し書き回転数で光記録媒体を回転するように駆動手段を制御し、光記録媒体の試し書き情報を読取る場合には、光記録媒体の試し書き情報を除く情報を読取るときの再生回転数以下の検査回転数で光記録媒体を回転するように駆動手段を制御することを特徴とする。
【００１６】
本発明に従えば、光記録媒体に試し書き情報を書込むときの試し書き回転数は、光記録媒体に試し書き情報を除く情報を書込むときの記録回転数と同じである。これによって光記録媒体に試し書き情報を書込むときの駆動手段の制御を、光記録媒体に試し書き情報を除く情報を書込むときの駆動手段の制御と同様にすることができる。また光記録媒体の試し書き情報を読取るときの検査回転数は、光記録媒体の試し書き情報を除く情報を読取るときの再生回転数以下である。検査回転数が再生回転数と同じである場合、光記録媒体の試し書き情報を読取るときの駆動手段の制御を、光記録媒体の試し書き情報を除く情報を読取るときの駆動手段の制御と同様にすることができる。また検査回転数が再生回転数未満である場合は、検査回転数が再生回転数を超える場合に比べて、駆動手段の制御は容易である。このように制御手段による駆動手段の制御を容易にすることができる。
【００１７】
【発明の実施の形態】
図１は、本発明の実施の一形態の記録再生装置１の構成を示すブロック図である。記録装置である記録再生装置１は、たとえば追記可能なコンパクトディスク（Ｃｏｍｐａｃｔ  Ｄｉｓｃ−Ｒｅｃｏｒｄａｂｌｅ  ；略称：ＣＤ−Ｒ）および書換可能なコンパクトディスク（Ｃｏｍｐａｃｔ  Ｄｉｓｃ−ＲｅＷｒｉｔａｂｌｅ  ；略称：ＣＤ−ＲＷ）、ならびに追記可能なデジタル多機能ディスク（Ｄｉｇｉｔａｌ  Ｖｅｒｓａｔｉｌｅ  Ｄｉｓｃ−Ｒｅｃｏｒｄａｂｌｅ  ；略称：ＤＶＤ−Ｒ，ＤＶＤ＋Ｒ）および書換可能なデジタル多機能ディスク（Ｄｉｇｉｔａｌ  Ｖｅｒｓａｔｉｌｅ  Ｄｉｓｃ−ＲｅＷｒｉｔａｂｌｅ  ；略称：ＤＶＤ−ＲＷ，ＤＶＤ＋ＲＷ／Ｄｉｇｉｔａｌ  Ｖｅｒｓａｔｉｌｅ  Ｄｉｓｃ−Ｒａｎｄｏｍ  Ａｃｃｅｓｓ  Ｍｅｍｏｒｙ  ；略称：ＤＶＤ−ＲＡＭ）などの光記録媒体への情報の書込みである記録を行ったり、ならびに前述の光記録媒体に加えて、コンパクトディスク（Ｃｏｍｐａｃｔ  Ｄｉｓｃ；略称：ＣＤ）およびデジタル多機能ディスク（Ｄｉｇｉｔａｌ  Ｖｅｒｓａｔｉｌｅ  Ｄｉｓｃ；略称：ＤＶＤ）などの光記録媒体に記録されている情報の読込みである再生を行ったりする。本実施の形態において、光ディスク５０は、たとえば情報の書換可能なＣＤ−ＲＷ、ＤＶＤ−ＲＷおよびＤＶＤ−ＲＡＭなどの、レーザ光を照射することによって、記録層を結晶状態およびアモルファス状態に相変化させて、情報を記録する相変化記録方式の光記録媒体である。
【００１８】
記録再生装置１は、サーボ回路ブロック２、スピンドルモータ３、スレッドモータ４、光ピックアップ部５、信号処理ブロック６、ＲＦ回路ブロック７、記録回路８およびマイクロコンピュータ（略称：マイコン）９を含んで構成される。本実施の形態において、駆動手段はスピンドルモータ３であり、ピックアップ手段は光ピックアップ部５であり、検出手段はＲＦ検出回路１５であり、制御手段はマイコン９である。
【００１９】
サーボ回路ブロック２は、ＲＦ回路ブロック７およびマイコン９からの指令に基づいて、スピンドルモータ３、スレッドモータ４および光ピックアップ部５を制御する。スピンドルモータ３は、たとえば直流サーボモータで実現され、サーボ回路ブロック２によって制御され、回転軸に着脱可能に装着される光ディスク１００を回転する。スレッドモータ４は、たとえば直流サーボモータで実現され、サーボ回路ブロック２によって制御され、駆動機構を介して、光ピックアップ部５を、光ディスク５０の半径方向に平行なトラッキング方向にスライド変位する。
【００２０】
光ピックアップ部５は、光ディスク５０にレーザ光を照射して、光ディスク５０に情報を書込んだり、光ディスク５０に書込まれている情報を読取る。光ピックアップ部５は、レーザダイオード、対物レンズ、フォトダイオード、光学系およびアクチュエータを含んで構成される。レーザダイオードは、記録回路８によって制御されて、光ディスク５０に書込むべき情報を含む変調信号に基づいて、レーザ光を出射する。光学系は、レーザダイオードから対物レンズにレーザ光を導くとともに、対物レンズからフォトダイオードに、光ディスク５０で反射されたレーザ光を導く。対物レンズは、レーザダイオードからのレーザ光を光ディスク５０に集光する。アクチュエータは、サーボ回路ブロック２によって制御され、対物レンズを光ディスク５０に近接離反する方向であるフォーカシング方向にスライド変位する。フォトダイオードは、光ディスク５０で反射されたレーザ光を検出して、ＲＦ信号をＲＦ回路ブロック７に与える。
【００２１】
信号処理ブロック６は、エンコーダ１０、デコーダ１１およびアナログデジタル変換器１２を含んで構成される。エンコーダ（ｅｎｃｏｄｅｒ  ）１０は、マイコン９によって制御され、光ディスク５０に書込むべき情報を変調して変調信号を生成して、記録回路８に与える。デコーダ（ｄｅｃｏｄｅｒ  ）１１は、マイコン９によって制御され、ＲＦ回路ブロック７からのＲＦ信号を復調して、ＲＦ信号に含まれている光ディスク５０に書込まれていた情報を出力する。アナログデジタル（Ａｎａｌｏｇｕｅ  ｔｏ  Ｄｉｇｉｔａｌ  ；略称：Ａ／Ｄ）変換器１２は、ＲＦ回路ブロック７からのアナログデータで表されるＲＦ信号の電圧の最大値および最小値を、デジタルデータに変換して、マイコン９に与える。
【００２２】
ＲＦ回路ブロック７は、再生回路１３、イコライザ１４およびＲＦ検出回路１５を含んで構成される。再生回路１３は、フォトダイオードによって検出された光ディスク５０で反射されたレーザ光に基づくＲＦ信号を増幅して、イコライザ１４およびＲＦ検出回路１５に与える。イコライザ（Ｅｑｕａｌｉｚｅｒ  ；略称：ＥＱ）１４は、再生回路１３によって増幅されたＲＦ信号の波形を整形して、デコーダ１１に与える。
【００２３】
図２は、ＲＦ検出回路１５の周波数特性を示すグラフである。ＲＦ検出回路１５は、たとえば安価なオペアンプで実現され、再生回路１３によって増幅されたＲＦ信号の電圧の最大値および最小値を検出して、信号処理ブロック６に与える。本実施の形態において、記録再生装置１は、光ディスク５０に書込まれている情報を、１倍速または等倍速と呼ばれる１５０キロバイト毎秒の転送速度で読取り、２倍速と呼ばれる３００キロバイト毎秒の転送速度で光ディスク５０に書込み可能である。したがってＲＦ検出回路１５の周波数特性は、図２に示すように、光ディスク５０に書込まれている情報を１倍速で読取るには充分であるけれども、２倍速で読取るには不充分である。また記録再生装置１は、１倍速と呼ばれる１５０キロバイト毎秒の転送速度で光ディスク５０に書込み可能であることは言うまでもない。
【００２４】
記録回路８は、マイコン９によって制御され、信号処理ブロック６からの光ディスク５０に書込むべき情報を含む変調信号に基づいて、光ピックアップ部５を制御する。
【００２５】
マイコン９は、たとえば中央演算処理装置（Ｃｅｎｔｒａｌ  Ｐｒｏｃｅｓｓｉｎｇ  Ｕｎｉｔ  ；略称：ＣＰＵ）などの演算処理装置で実現され、記録再生装置１を統括的に制御する。記録再生装置１において、２倍速で光ディスク５０に情報を記録する場合、マイコン９は、光ディスク５０に情報を書込むときに照射するレーザ光の最適な出力を求めるために、ＯＰＣ（Ｏｐｔｉｍｕｍ  Ｐｏｗｅｒ  Ｃｏｎｔｒｏｌ  ）を実行する。
【００２６】
マイコン９は、試し書き回転数、本実施の形態では、通常、光ディスク５０に試し書き情報を除く情報を書込むときの記録回転数、具体的には、２倍速で光ディスク５０に試し書き情報を書込み可能な回転数で光ディスク５０を回転するように、サーボ回路ブロック２を介して、スピンドルモータ３を制御する。続いてマイコン９は、光ディスク５０に設けられる試し書き領域（Ｐｏｗｅｒ  Ｃａｌｉｂｌａｔｉｏｎ  Ａｒｅａ；略称：ＰＣＡ）に、互いに異なる複数の出力でレーザ光を照射して、各出力毎に所定の試し書き情報を書込むように、記録回路８、ならびにサーボ回路ブロック２を介してスレッドモータ４および光ピックアップ部５を制御する。ここで複数の出力は、値が小さい順に等差で並ぶような値、たとえば５ミリワット、６ミリワットおよび７ミリワットであってもよい。またこのような複数の出力は、光ディスク５０毎に予め記録されている記録パワー情報に基づいて設定されてもよく、記録パワー情報が、たとえば６ミリワットの場合、前述の複数の出力は、その前後の値、たとえば５ミリワット、５．５ミリワット、６．５ミリワットおよび７ミリワットであってもよい。これによって実際に光ディスク５０に情報を記録するときに、最適なレーザ光の出力を求めることができる。
【００２７】
ＰＣＡに複数の出力でレーザ光を照射することによる、各出力毎の試し書き情報の書込みが完了すると、マイコン９は、試し書き回転数よりも低い検査回転数、本実施の形態では、通常、光ディスク５０の試し書き情報を除く情報を読取るときの再生回転数、具体的には、１倍速で光ディスク５０に書込まれている情報を読取り可能な回転数で光ディスク５０を回転するように、サーボ回路ブロック２を介して、スピンドルモータ３を制御する。続いてマイコン９は、光ディスク５０のＰＣＡにレーザ光を照射して、書込んだ試し書き情報を読取るように、サーボ回路ブロック２を介してスレッドモータ４および光ピックアップ部５を制御する。
【００２８】
光ピックアップ部５は、光ディスク５０のＰＣＡで反射されたレーザ光を検出して、各出力の試し書き情報が含まれるＲＦ信号である検査信号を、ＲＦ回路ブロック７の再生回路１３に与える。ＲＦ回路ブロック７の再生回路１３は、光ピックアップ部５からの検査信号を増幅して、ＲＦ検出回路１５に与える。ＲＦ検出回路１５は、再生回路１３によって増幅された各出力の試し書き情報が含まれるＲＦ信号の電圧の最大値Ｖｍａｘおよび最小値Ｖｍｉｎを検出して、信号処理ブロック６のＡ／Ｄ変換器１２に与える。信号処理ブロック６のＡ／Ｄ変換器１２は、ＲＦ回路ブロック７のＲＦ検出回路１５からの、アナログデータで表され、各出力の試し書き情報が含まれるＲＦ信号の電圧の最大値Ｖｍａｘおよび最小値Ｖｍｉｎを、デジタルデータに変換して、マイコン９に与える。
【００２９】
図３は、光ディスク５０に書込まれている情報を読取ったときに、光ピックアップ部５からＲＦ回路ブロック７に与えられるＲＦ信号のアイパターンを示す図である。図３において、横軸は時間を表し、縦軸は電圧を表す。変調度Ｍは、次式（１）で表される。
Ｍ＝ＩＰＰ／Ｉｍａｘ                                      …（１）
【００３０】
式（１）において、ＩＰＰはＲＦ信号の最大振幅を表し、ＩｍａｘはＲＦ信号の最大値を表す。
【００３１】
マイコン９は、各試し書き情報を書込んだときの出力に対応して、信号処理ブロック６のＡ／Ｄ変換器１２からのデジタルデータで表される電圧の最大値Ｖｍａｘおよび最小値Ｖｍｉｎに基づいて、変調度Ｍを求める。ここで、各試し書き情報を書込んだときの出力に対応して、
Ｉｍａｘ＝Ｖｍａｘ，ＩＰＰ＝Ｖｍａｘ−Ｖｍｉｎ
として、式（１）に代入することで、各出力に対応する変調度Ｍが求められる。ここで変調度Ｍは、０以上、１以下の値をとるので、変調度Ｍがこの範囲内で最大となるとき、レーザ光の出力が最適であると判断する。このときの変調度Ｍは、たとえば０．８および０．９であってもよい。変調度Ｍが最大のとき、ＲＦ信号も最大となるので、ＲＦ信号が最大となるようにレーザ光の出力を決定するようにすればよい。
【００３２】
ＲＦ検出回路１５の周波数特性が、２倍速で測定するのに充分な高帯域のＲＦ信号を検出可能であれば、検出されたＲＦ信号の値が実際の値よりも低くなることはないけれども、ＲＦ検出回路１５の検出可能な周波数帯域が充分でないと、図２に示すように、測定する点の周波数のゲインが低下しているため、実際の値より低く測定される。本実施の形態の記録再生装置１は、ＲＦ検出回路１５の検出可能な周波数帯域が充分でなくても、２倍速記録時の最適レーザ光の出力を求めることができる。
【００３３】
以上のように本実施の形態の記録再生装置１によれば、マイコン９によって、光ディスク５０に試し書き情報を書込むとき、スピンドルモータ３は、光ディスク５０を所定の試し書き回転数で回転するように制御され、光ピックアップ部５は、試し書き回転数で回転する光ディスク５０に試し書き情報を書込むように制御される。光ディスク５０に書込んだ試し書き情報を読取るとき、スピンドルモータ３は、光ディスク５０を前記試し書き回転数よりも低い検査回転数で回転するように制御され、光ピックアップ部５は、光ディスク５０に書込んだ試し書き情報を読取るように制御される。試し書き回転数よりも低い検査回転数で回転する光ディスク５０の試し書き情報を読取ったときに出力される検査信号は、試し書き回転数で回転する光ディスク５０の試し書き情報を読取ったときに出力される検査信号よりも周波数帯域が低くなる。試し書き情報を含むＲＦ信号の検出は、試し書き情報以外の情報を含むＲＦ信号の検出よりも精度が要求されるけれども、ＲＦ回路ブロック７のＲＦ検出回路１５は、前記検査回転数で回転する光ディスク５０の試し書き情報を読取ったときに出力される検査信号程度の周波数帯域の信号を検出可能な程度でよく、このようなＲＦ検出回路１５で、光ピックアップ５が試し書き情報を読取ったときに出力される検査信号を高精度に検出することができる。したがって周波数帯域の高い信号を検出可能な検出回路を用いる必要がなく、記録再生装置１の製造コストを抑えることができる。またマイコン９は、前記検査信号に基づいて、光ディスク５０に情報を書込むときに照射するレーザ光の出力を決定する。したがって前述のように決定された最適な出力で光ディスク５０にレーザ光を照射するように光ピックアップ部５を制御することによって、光ディスク５０に正確に情報を書込むことができる。
【００３４】
また本実施の形態の記録再生装置１によれば、光ディスク５０に情報を書込むときに照射する光の出力は、検査信号の振幅を検査信号の最大値で除算した変調度Ｍに基づいて決定される。このように変調度Ｍは、検査信号の振幅および検査信号の最大値だけで求められるので、変調度Ｍを容易かつ高速に求めることができ、これによって光ディスク５０に情報を書込むときに照射する光の最適な出力を、容易かつ高速に決定することができる。
【００３５】
また本実施の形態の記録再生装置１によれば、光ディスク５０に試し書き情報を書込むときの試し書き回転数は、光ディスク５０に試し書き情報を除く情報を書込むときの記録回転数と同じである。これによって光ディスク５０に試し書き情報を書込むときのスピンドルモータ３の制御を、光ディスク５０に試し書き情報を除く情報を書込むときのスピンドルモータ５０の制御と同様にすることができる。また光ディスク５０の試し書き情報を読取るときの検査回転数は、光ディスク５０の試し書き情報を除く情報を読取るときの再生回転数以下である。検査回転数が再生回転数と同じである場合、光ディスク５０の試し書き情報を読取るときのスピンドルモータ３の制御を、光ディスク５０の試し書き情報を除く情報を読取るときのスピンドルモータ３の制御と同様にすることができる。また検査回転数が再生回転数未満である場合は、検査回転数が再生回転数を超える場合に比べて、スピンドルモータ３の制御は容易である。このようにマイコン９によるスピンドルモータ３の制御を容易にすることができる。
【００３６】
本実施の形態の記録再生装置１において、マイコン９は、光ディスク５０に書込んだ試し書き情報を読取るときに、１倍速で光ディスク５０に書込まれている情報を読取り可能な回転数を検査回転数として、この検査回転数で光ディスク５０を回転するように、サーボ回路ブロック２を介して、スピンドルモータ３を制御するとしたけれども、これに限ることはない。光ディスク５０に書込んだ試し書き情報を読取るときの検査回転数は、試し書き回転数、本実施の形態では２倍速で光ディスク５０に試し書き情報を書込み可能な回転数よりも低ければよく、ＲＦ検出回路７の周波数特性に対応して変化させてもよい。したがって検査回転数は、たとえば、１／２倍速と呼ばれる７５キロバイト毎秒の転送速度で光ディスク５０に書込まれている情報を読取り可能な回転数であってもよく、１／４倍速と呼ばれる３７．５キロバイト毎秒の転送速度で光ディスク５０に書込まれている情報を読取り可能な回転数であってもよい。また検査回転数は、前述の３７．５キロバイト毎秒の転送速度で光ディスク５０に書込まれている情報を読取り可能な回転数よりも低い回転数であってもよい。これによって、光ピックアップ５が試し書き情報を読取ったときに出力される検査信号を、さらに高精度に検出することができる。
【００３７】
また本実施の形態の記録再生装置１において、光ディスク５０は、情報の書換可能なＣＤ−ＲＷ、ＤＶＤ−ＲＷおよびＤＶＤ−ＲＡＭなどの相変化記録方式の光記録媒体であるとしたけれども、これに限ることはない。たとえばＣＤ−ＲおよびＤＶＤ−Ｒなどの、レーザ光を照射することによる記録層の溶融および基板の変形によって情報を記録する、情報の追記可能な光記録媒体であってもよい。
【００３８】
また本実施の形態の記録再生装置１において、試し書き情報は、試し書き領域（ＰＣＡ）に書込むとしたけれども、光ディスク５０が書換可能な光記録媒体である場合、情報の書込み可能な領域であれば、ＰＣＡ以外の領域であってもよい。
【００３９】
【発明の効果】
以上のように本発明によれば、試し書き回転数よりも低い検査回転数で回転する光記録媒体の試し書き情報を読取ったときに出力される検査信号は、試し書き回転数で回転する光記録媒体の試し書き情報を読取ったときに出力される検査信号よりも周波数帯域が低くなるので、検出手段は、前記検査回転数で回転する光記録媒体の試し書き情報を読取ったときに出力される検査信号程度の周波数帯域の信号を検出可能な程度でよく、このような検出手段で、ピックアップ手段が試し書き情報を読取ったときに出力される検査信号を高精度に検出することができる。したがって周波数帯域の高い信号を検出可能な検出回路を用いる必要がなく、記録装置の製造コストを抑えることができる。また制御手段は、前記検査信号に基づいて、光記録媒体に情報を書込むときに照射する光の出力を決定するので、前述のように決定された出力で光記録媒体に光を照射するようにピックアップ手段を制御することによって、光記録媒体に正確に情報を書込むことができる。
【００４０】
また本発明によれば、変調度は、検査信号の振幅および検査信号の最大値だけで求められるので、変調度を容易かつ高速に求めることができ、これによって光記録媒体に情報を書込むときに照射する光の出力を、容易かつ高速に決定することができる。
【００４１】
また本発明によれば、光記録媒体に試し書き情報を書込むときの駆動手段の制御を、光記録媒体に試し書き情報を除く情報を書込むときの駆動手段の制御と同様にすることができる。また検査回転数が再生回転数と同じである場合、光記録媒体の試し書き情報を読取るときの駆動手段の制御を、光記録媒体の試し書き情報を除く情報を読取るときの駆動手段の制御と同様にすることができる。また検査回転数が再生回転数未満である場合は、検査回転数が再生回転数を超える場合に比べて、駆動手段の制御は容易である。このように制御手段による駆動手段の制御を容易にすることができる。
【図面の簡単な説明】
【図１】本発明の実施の一形態の記録再生装置１の構成を示すブロック図である。
【図２】ＲＦ検出回路１５の周波数特性を示すグラフである。
【図３】光ディスク５０に書込まれている情報を読取ったときに、光ピックアップ部５からＲＦ回路ブロック７に与えられるＲＦ信号のアイパターンを示す図である。
【符号の説明】
１  記録再生装置
３  スピンドルモータ
５  光ピックアップ部
９  マイコン
【図１】
2005032335.tif 000003
【図２】
2005032335.tif 000004
【図３】
2005032335.tif 000005